(57)【特許請求の範囲】
【請求項１】
第１液と第２液を分離して保存して、使用時に前記第１液と前記第２液が混合される２液混合容器であって、
前記第１液を保存するスポイトと、
前記スポイトを内部に保持し、前記第２液を保存する容器と、を備え、
前記スポイトは、薄肉に形成された破断部と、前記破断部の先端側に一体に形成された前記スポイトの先端を封止する封止部と、を備え、
前記容器は、前記容器の底部に形成された穴の側面に爪が設けられた爪部を備え、
前記封止部は、前記封止部の外側の側面に突起を備え、
前記封止部が前記爪部に挿入されることにより、前記突起と前記爪とでラチェット機構を構成し、
前記封止部が前記爪部に挿入された状態で前記スポイトを前記突起が前記爪に引っかかって回転しない方向に回転させることにより、前記破断部において、前記封止部が前記スポイトから切りはなされる
２液混合容器。
【請求項２】
前記第１液と前記第２液は、化粧料の成分であり、
前記第１液が、前記スポイトに保存され、前記第２液が前記容器に保存されている
請求項１に記載の２液混合容器。
【発明の詳細な説明】
【技術分野】
【０００１】
本発明は、２液混合容器に関する。
【背景技術】
【０００２】
使用する前に、２液を混合して使用する化粧品が知られている。
【０００３】
特許文献１には、第一、第二内容物が互いに分離された状態で維持され、使用時に第二内容物が使用者の操作を介して容器ボディーの内部に吐出されて混合される化粧品二液容器が開示されている。
【先行技術文献】
【特許文献】
【０００４】
【特許文献１】特表２０１６−５２７９４８号公報
【発明の概要】
【発明が解決しようとする課題】
【０００５】
特許文献１に開示の化粧品二液容器では、ピペットの先にキャップが設けられている。そのため、ピペットとは別にキャップが必要であり、部品点数が増える。また、製造の際にキャップがピペットから外れる可能性がある。そのために、内容物を保存しているピペットの取り扱いを慎重に行う必要がある。
【０００６】
本発明の一実施形態は、容器の内部に保存された化粧料を密封した状態で安定して保存できる２液混合容器を提供する。
【課題を解決するための手段】
【０００７】
開示の２液混合容器は、第１液と第２液を分離して保存して、使用時に前記第１液と前記第２液が混合される２液混合容器であって、前記第１液を保存するスポイトと、前記スポイトを内部に保持し、前記第２液を保存する容器と、を備え、前記スポイトは、薄肉に形成された破断部と、前記破断部の先端側に一体に形成された前記スポイトの先端を封止する封止部と、を備え、前記容器は、前記容器の底部に形成された穴の側面に爪が設けられた爪部を備え、前記封止部は、前記封止部の外側の側面に突起を備え、前記封止部が前記爪部に挿入されることにより、前記突起と前記爪とでラチェット機構を構成し、前記封止部が前記爪部に挿入された状態で前記スポイトを前記突起が前記爪に引っかかって回転しない方向に回転させることにより、前記破断部において、前記封止部が前記スポイトから切りはなされる。
【発明の効果】
【０００８】
本開示の２液混合容器により、容器の内部に保存された化粧料を密封した状態で安定して保存することができる。
【図面の簡単な説明】
【０００９】
【図１】本実施形態に係る混合容器の一例の使用状態での側面図である。
【図２】本実施形態に係る混合容器の一例の断面図である。
【図３】本実施形態に係る混合容器の一例の細管部の断面図と底面図である。
【図４】本実施形態に係る混合容器の一例の底部の上面図である。
【図５】本実施形態に係る混合容器の一例の組み立て方法を説明するための図である。
【図６】本実施形態に係る混合容器の一例の組み立て方法を説明するための図である。
【図７】本実施形態に係る混合容器の一例の組み立て方法を説明するための図である。
【図８】本実施形態に係る混合容器の一例の組み立て方法を説明するための図である。
【図９】本実施形態に係る混合容器の一例の組み立て方法、使用方法を説明するための図である。
【図１０】本実施形態に係る混合容器の一例の使用方法を説明するための図である。
【図１１】本実施形態に係る混合容器の変形例を説明する図である。
【図１２】本実施形態に係る混合容器の変形例を説明する図である。
【発明を実施するための形態】
【００１０】
以下、図面を参照して本発明を実施するための形態について説明する。なお、本明細書及び図面において、実質的に同一の機能構成を有する構成要素については、同一の符号を付し、重複する説明を省略する。以下、図面を参照して本開示を実施するための形態について説明する。各図面において、同一構成部分には同一符号を付し、重複した説明を省略する場合がある。
【００１１】
＜２液混合容器＞
［混合容器全体］
図１は、本実施形態に係る混合容器１に化粧料の液体の成分Ａと成分Ｂを充填した状態の化粧料１０００の側面図である。図１において、化粧料１０００は、未開封、未使用状態で、化粧料の成分Ａと成分Ｂとが分離された状態である。図２は、本実施形態に係る混合容器１の断面図である。なお、混合容器１は２液混合容器、化粧料の成分Ａは第１液、成分Ｂは第２液、の一例である。
【００１２】
混合容器１は、スポイト１０、容器２０を備える。スポイト１０は、未開封、未使用の状態で化粧料の成分Ａを保存する。また、スポイト１０は、開封後では、化粧料の成分Ａと成分Ｂを混合したり、混合した化粧料を手や指等に滴下したりするのに用いられる。スポイト１０は、細管部１１０、蓋部１２０、加圧部１３０を備える。本開示のスポイト１０は、液を吸い上げて吐出するという通常のスポイトの機能と、スポイトの先端を封止して液を保持する機能を備える。容器２０は、未開封、未使用の状態で化粧料の成分Ｂを保存する。また、容器２０は、開封後では、化粧料の成分Ａと成分Ｂを混合した化粧料を保存するのに用いられる。容器２０は、本体部１４０、底部１５０を備える。スポイト１０と容器２０との間に、上封止部１６０を備える。
【００１３】
次に、各部について詳細を説明する。
【００１４】
［細管部１１０］
細管部１１０は、化粧料の成分Ａを内部に保持する。細管部１１０の先端は細くなっている。細管部１１０は、透明の部材、例えば、樹脂やガラス、で形成されている。樹脂の材料として、例えば、ＰＥＴ（ｐｏｌｙｅｔｈｙｌｅｎｅ  ｔｅｒｅｐｈｔｈａｌａｔｅ）、ポリプロピレン、アクリル、ＡＢＳ（ａｃｒｙｌｏｎｉｔｒｉｌｅ  ｂｕｔａｄｉｅｎｅ  ｓｔｙｒｅｎｅ）等である。
【００１５】
細管部１１０の詳細について説明する。図３は、本実施形態に係る混合容器１の細管部１１０の断面図と底面図である。図３（ａ）が細管部１１０の断面図である。図３（ｂ）が細管部１１０の底面図である。
【００１６】
細管部１１０は、円筒形の円筒部１１１、先端に近づくほど細くなる先細部１１２、細管部１１０の先端を封止する封止部１１３、を備える。先細部１１２の先端と封止部１１３の間には、薄肉に形成された破断部１１４が形成されている。すなわち、スポイト１０には、薄肉に形成された破断部１１４が形成され、その破断部１１４の先端側に封止部１１３を備える。破断部１１４で、先細部１１２と封止部１１３とが切りはなされることにより、細管部１１０の内部の液体（化粧料の成分Ａ）を細管部１１０の外に出すことができる。なお、本実施形態の先細部１１２は、先端に近づくほど細くなっているが、先細部１１２の形状については、先端のみ細くなってもよいし、同じ太さ（一定の径の管）でもよい。
【００１７】
また、封止部１１３の外側の側面には、円周方向に等間隔で４個の突起１１５が形成されている。突起１１５は、後述する底部１５０の爪部１５１に挿入される。
【００１８】
さらに、細管部１１０の上部には、フランジ部１１６が形成されている。
【００１９】
［蓋部１２０］
蓋部１２０は、本体部１４０の螺着部１４２に螺着する。蓋部１２０が本体部１４０と螺着することによって、本体部１４０の上部開口部１４３と細管部１１０のフランジ部１１６との間の上封止部１６０が押圧される。それにより、本体部１４０の気密を保持する。蓋部１２０は、樹脂で形成されている。
【００２０】
［加圧部１３０］
加圧部１３０は、細管部１１０の内部を加圧する。加圧部１３０は、細管部１１０の上部に取り付けられている。加圧部１３０は、柔軟な部材、例えば、ゴムやエラストマーで内部が空洞であるドーム状に形成されている。加圧部１３０が指で押しつぶされることにより、加圧部１３０の内部の圧力が上昇する。それによって、加圧部１３０は、細管部１１０の内部を加圧する。
【００２１】
［本体部１４０］
本体部１４０は、化粧料の成分Ｂを内部に保持する。また、本体部１４０は、化粧料の成分Ａが内部に充填された細管部１１０を内部に保持する。なお、後述するように、化粧料の成分Ａと成分Ｂを混合した状態の化粧料を内部に保持する。
【００２２】
本体部１４０は、上部が細くなった筒状の形状となっている。本体部１４０は、円筒形の筒状部１４１、上部に蓋部１２０と螺着する螺着部１４２を備える。螺着部１４２の上部には、細管部１１０が挿入される上部開口部１４３を有する。また、筒状部１４１の下部には、底部１５０が挿入される下部開口部１４４を有する。
【００２３】
本体部１４０は、透明の部材、例えば、樹脂やガラス、で形成されていることが好ましい。
【００２４】
［底部１５０］
図４は、本実施形態に係る混合容器１の底部１５０の上面図である。
【００２５】
底部１５０は、本体部１４０の下部開口部１４４に取り付けられ、本体部１４０の気密を保持する。底部１５０には、細管部１１０の封止部１１３が挿入される爪部１５１を備える。爪部１５１は、底部１５０に形成された断面円形の穴である。その穴の側面には、１２個の爪１５２が、深さ方向に形成されている。当該爪１５２は、上面視で、穴の側面に対して略垂直な面と、当該側面に対して傾斜した傾斜面とにより構成されている。これにより、封止部１１３の突起１１５と、爪部１５１の爪１５２とは、ラチェット機構１８０（図９を参照）を構成する。スポイト１０の蓋部１２０を本体部１４０に取り付ける方向（蓋部１２０を上から見て時計回りの方向）に回転したときは突起１１５が爪１５２に引っかからず、回転可能になっている。
【００２６】
［上封止部１６０］
上封止部１６０は、本体部１４０の上部開口部１４３と、細管部１１０のフランジ部１１６との間に設けられる。上封止部１６０は、いわゆる、ガスケット又はパッキンである。上封止部１６０は、蓋部１２０を螺着することにより、上部開口部１４３とフランジ部１１６との間で、加圧されて密封する。上封止部１６０は、例えば、ゴムやエラストマー、樹脂（例えば、発泡ポリエチレン又は発泡ポリプロピレン等）で形成されている。
【００２７】
＜混合容器の組み立て方法＞
図５〜図８は、本実施形態に係る混合容器１の組み立て方法を説明するための図である。図にそって、混合容器１の組み立て方法を説明する。
【００２８】
［化粧料の成分Ａの充填］
図５は、細管部１１０に化粧料の成分Ａを充填した状態を示す図である。最初に細管部１１０に、化粧料の成分Ａを充填する。また、細管部１１０に上封止部１６０を取り付ける。
【００２９】
［スポイトの組み立て］
図６は、化粧品の成分Ａを充填した細管部１１０に、加圧部１３０と蓋部１２０を取り付けた状態を示す図である。細管部１１０の上部に加圧部１３０と蓋部１２０を取り付ける。これにより、化粧料の成分Ａを充填された状態のスポイト１０が組み立てられる。細管部１１０に、加圧部１３０と蓋部１２０を取り付けることによって、化粧料の成分Ａが充填されている細管部１１０の内部の気密が保たれる。それにより、例えば、化粧料の成分Ａを充填した細管部１１０を倒したり、細管部１１０を運搬時に揺らしたりしても、化粧料の成分Ａが細管部１１０と加圧部１３０の内部からこぼれることがない。
【００３０】
［化粧料の成分Ｂの充填］
図７は、容器２０に化粧料の成分Ｂを充填した状態を示す図である。容器２０は、本体部１４０の上部開口部１４３から化粧料の成分Ｂを注ぎ込まれる。それによって、容器２０に化粧料の成分Ｂが充填される。
【００３１】
［混合容器の組み立て］
図８は、混合容器１を組み立てた状態を示す図である。化粧料の成分Ｂが充填された容器２０の本体部１４０の上部開口部１４３に、化粧料の成分Ａが充填されたスポイト１０を挿入する。そして、蓋部１２０を上から見て時計回りに回転させて、蓋部１２０を本体部１４０の螺着部１４２に螺着する。それによって、上部開口部１４３とフランジ部１１６とで上封止部１６０が押圧されて、本体部１４０が密封される。
【００３２】
また、蓋部１２０が螺着されると、細管部１１０の封止部１１３が、底部１５０の爪部１５１に挿入される。図９は、底部１５０と、爪部１５１に挿入された封止部１１３の挿入状態を説明する図である。封止部１１３は、断面で表している。蓋部１２０を取り付けるために回転させると、底部１５０に対して封止部１１３は矢印Ｃの方向に回転する。封止部１１３の突起１１５と、爪部１５１の爪１５２とは、ラチェット機構１８０を構成する。そのため、図９のように、封止部１１３が矢印Ｃの方向に回転しても、突起１１５は、爪１５２に引っかかることなく回転する。すなわち、細管部１１０を挿入する際には、封止部１１３は爪部１５１で空転する。これにより、破断部１１４で、先細部１１２と封止部１１３とが切りはなされることない。したがって、混合容器１の内部に、化粧料の成分Ａと成分Ｂを分離した状態で保管することができる。
【００３３】
＜混合容器の使用方法＞
図１０は、本実施形態に係る混合容器１の使用方法を説明するための図である。図８のように、混合容器１の内部に、化粧料の成分Ａと成分Ｂを分離した状態で保管している状態から、スポイト１０を取り外す。具体的には、蓋部１２０を上から見て反時計回りに回転させる。スポイト１０を取り外すために回転させると、図９において、封止部１１３は矢印Ｄの方向に回転する。封止部１１３の突起１１５と、爪部１５１の爪１５２とは、ラチェット機構１８０を構成する。そのため、矢印Ｄの方向に回転すると、突起１１５は、爪部１５１の爪１５２に引っかかって回転しない。そうすると、封止部１１３は、破断部１１４で先細部１１２から切断される。封止部１１３が切断されると、先細部１１２の先端が開放される。すると、細管部１１０に保持していた化粧料の成分Ａが、先細部１１２の先端から容器２０に吐出することが可能になる。ここで、加圧部１３０により化粧料の成分Ａが加圧されることにより、化粧料の成分Ａが細管部１１０から突出して、化粧料の成分Ａと容器２０に保持していた化粧料の成分Ｂとは混合される。このように、化粧料の成分Ａと成分Ｂとを混合させることができる。また、混合した化粧料の使用時には、混合した化粧料をスポイト１０により、例えば、手のひらや指先に、滴下することができる。さらに、蓋部１２０を再び本体部１４０に螺着することにより、混合した化粧料を大気にふれることを防止しながら保存することができる。このように、容器２０は、化粧料の成分Ａと成分Ｂを混合した状態の化粧料を内部に保持する。
【００３４】
＜作用・効果＞
スポイト１０は、細管部１１０の破断部１１４により内部の液体（化粧料の成分Ａ）を保持することから、容器の内部に保存された化粧料を密封した状態で安定して保持することができる。また、細管部１１０において、封止するための封止部１１３を一体に形成していることから、追加で封止するための部材が不要であり、製造コストや製造にかかる時間を低減することができる。
【００３５】
本実施形態の混合容器１により、化粧料の成分Ａ、成分Ｂの２液を分離して保管することができる。また、蓋部１２０を開封することにより、化粧料の成分Ａ、成分Ｂを混合することができる。これにより、化粧料の成分Ａと成分Ｂを混合させることにより劣化する場合に、化粧料を劣化させることなく保管することができる。また、使用する前に、化粧料を混合させることができる。
【００３６】
本実施形態の混合容器１において、組み立て時には、細管部１１０の封止部１１３が分離されずに、最初に使用する際に封止部１１３を分離することが可能である。これにより、混合容器１を簡易に組み立てることができる。また、使用する際にも手間無く使用することができる。
【００３７】
＜変形例＞
［変形例１］
図１１は、本実施形態に係る混合容器１の変形例１を説明する図である。図１１（ａ）は、未開封、未使用状態、図１１（ｂ）は開封後の封止部２１３が切り離された状態を表す。本変形例１では、細管部２１０の先細部２１２の形状が、細管部１１０の先細部２１２と異なる。本変形例１の細管部２１０は、先端に近づくほど細くなる先細部２１２、細管部２１０の内部の液体（化粧料の成分Ａ）を封止する封止部２１３、を備える。先細部２１２の先端と封止部２１３の間には、破断部２１４が形成されている。さらに、先細部２１２には、破断部２１４を覆うように、保護部２１７を備える。保護部２１７を備えることにより、破断部２１４で先細部２１２と封止部２１３とが切りはなされた破断面を覆うことができる。破断面が覆われることにより、使用時に手や指が当該破断面に当たることない。それにより、手や指を痛めることなく安全に使用することができる。
【００３８】
［変形例２］
図１２は、本実施形態に係る混合容器１の変形例２を説明する図である。図１２（ａ）は、変形例２の容器２５の一部断面図である。図１２（ｂ）は、図１２（ａ）のＦ−Ｆ'部分断面図である。図１２（ｃ）は、図１２（ａ）のＧ−Ｇ'部分断面図である。本変形例２は、底部１５０とは異なる底部３５０を備える。また、それに伴って、本変形例２は、本体部１４０とは異なる本体部３４０を備える。また、本変形例２では、上記の構成により、細管部２１０の封止部２１３の切り離し方法が、細管部１１０の封止部１１３の切り離し方法とは異なる。
【００３９】
本変形例２の本体部３４０は、下部開口部３４４側に嵌合部３４５を備える。嵌合部３４５は、後述する底部３５０の嵌合部３５５の内側に挿入されることにより、嵌合部３５５と嵌合して容器２５を組み立てる。嵌合部３４５は、嵌合部３４５の外側の面に突起３４７を備える。なお、突起３４７は、例えば、円周方向に等間隔で４個備える。また、嵌合部３４５の外側の面に、底部３５０と結合するための結合部３４８を備える。
【００４０】
本変形例２の底部３５０は、爪部３５１、嵌合部３５５を備える。爪部３５１は、爪３５２を備える。爪部３５１は、爪部１５１と同様の構造となっている。嵌合部３５５は、嵌合部３５５の内側に、本体部３４０の嵌合部３４５が挿入されることにより、嵌合部３４５と嵌合して容器２５を組み立てる。嵌合部３５５は、嵌合部３５５の内側の側面には、爪３５６を備える。当該爪３５６は、上面視で、嵌合部３５５の側面に対して略垂直な面と、当該側面に対して傾斜した傾斜面とにより構成されている。なお、爪３５６は、例えば、円周方向に等間隔で複数個備える。また、嵌合部３５５の内側の側面に、本体部３４０と結合するための結合部３５８を備える。
【００４１】
本体部３４０の下部開口部３４４に、底部３５０を挿入することにより容器２５を組み立てる。本体部３４０の嵌合部３４５と底部３５０の嵌合部３５５とは、一度組み立てると、本体部３４０の結合部３４８と底部３５０の結合部３５８とが結合して、挿入方向に外れないようになっている。また、後述するように、底部３５０は、本体部３４０に対して、片方の方向に回転するように嵌合されている。容器２５は、嵌合部３４５の内部側面３４５ａと、爪部３５１の外側側面３５１ａとの間に、下封止部３７０を備える。下封止部３７０は、いわゆる、シール部材である。下封止部３７０は、内部側面３４５ａと外側側面３５１ａとの間で、径方向に潰されることにより、内部側面３４５ａと外側側面３５１ａを径方向に押圧して密封する。このように密封することによって、回転動作が加わっても密封することができる。下封止部３７０は、例えば、ゴムやエラストマー、樹脂（例えば、発泡ポリエチレン又は発泡ポリプロピレン等）で形成されている。
【００４２】
本体部３４０と底部３５０により容器２５を組み立てる際に、スポイト１０を容器２５に取り付けて封止部１１３が爪部３５１に挿入されると、封止部１１３の突起１１５と、爪部３５１の爪３５２とは、ラチェット機構１８２を構成する。すなわち、図１２の矢印Ｃの方向に封止部１１３は爪部３５１に対して回転可能である。スポイト１０を容器２５に取り付ける際には、封止部１１３は、矢印Ｃの方向に回転する。そのことから、スポイト１０を容器２５に取り付ける際には、封止部１１３が先細部１１２から切り離されることはない。
【００４３】
容器２５を組み立てるために、底部３５０が本体部３４０に挿入されると、本体部３４０の嵌合部３４５と、底部３５０の嵌合部３５５が、嵌合する。本体部３４０の突起３４７と、底部３５０の爪３５６とは、ラチェット機構１８４を構成する。すなわち、図１２の矢印Ｅの方向には底部３５０は本体部３４０に対して回転可能であるが、矢印Ｅの逆方向には回転することができない。
【００４４】
本変形例２では、スポイト１０の先細部１１２から封止部１１３を切り離すために、底部３５０を矢印Ｅの方向に回転する。それによって、図１２（ｂ）のように、爪部３５１が矢印Ｅの方向に回転する。そして、爪３５２によって突起１１５が回転させられることにより、破断部１１４において、封止部１１３が先細部１１２から切り離される。封止部１１３が切り離されることにより、スポイト１０の細管部１１０に保持していた化粧料の成分Ａが、先細部１１２の先端から容器２０に吐出することが可能になる。
【００４５】
本変形例２では、ラチェット機構１８２により、組み立て時には、細管部１１０の封止部１１３が分離されずに、底部３５０を回すことより封止部１１３を分離することが可能である。これにより、化粧料の成分Ａと成分Ｂを混合することなく、混合容器１を簡易に組み立てることができる。また、化粧料を使用する前に、化粧料の成分Ａと成分Ｂを簡単に混合することができる。
【００４６】
［上記以外の変形例］
本実施形態では、第１液、第２液として、液体の化粧料の成分Ａ、Ｂとしたが、第１液、第２液は、化粧料の成分に限らない。例えば、第１液、第２液として、例えば、薬品、食品、印刷用のインク、顔料、染料、塗料等の元になる成分の液体でもよい。なお、スポイト内の成分については、第１液のような液体に限らず、粉末状の物質でもよい。
【００４７】
ラチェット機構１８０の突起１１５と爪１５２の個数については、それぞれ少なくとも１個備えていればよい。突起１１５や爪１５２の数を増やすと、先細部１１２と封止部１１３とが切りはなす際の角度が小さくなる。また、蓋部１２０を回転する際の回転を安定させることができる。ラチェット機構１８２、１８４でも同様に、突起（突起１１５、３４７）と爪（爪３５２、３５６）の個数は、それぞれ少なくとも１個備えればよい。
【００４８】
以上、実施形態について詳述したが、上記の実施形態はすべての点で例示であって、上記の実施形態に限定されるものではない。上記の実施形態は、特許請求の範囲に記載された本発明の実施形態の要旨の範囲内において、種々の変形、変更が可能である。
【符号の説明】
【００４９】
１  混合容器
１０  スポイト
２０  容器
１１３  封止部
１１４  破断部
１１５  突起
１５１  爪部
１５２  爪
１８０  ラチェット機構
１８２  ラチェット機構
２１３  封止部
２１４  破断部
３５１  爪部
３５２  爪
Ａ  化粧料の成分
Ｂ  化粧料の成分
【要約】
【課題】容器の内部に保存された化粧料を密封した状態で安定して保存できる２液混合容器を提供する。
【解決手段】第１液と第２液を分離して保存して、使用時に前記第１液と前記第２液を混合される２液混合容器であって、前記第１液を保存するスポイトと、前記スポイトを内部に保持し、前記第２液を保存する容器と、を備え、前記スポイトは、薄肉に形成された破断部と、前記破断部の先端側に前記スポイトの先端を封止する封止部と、を備える２液混合容器。
【選択図】  図２【図１】
0006735396.tif 000002
【図２】
0006735396.tif 000003
【図３】
0006735396.tif 000004
【図４】
0006735396.tif 000005
【図５】
0006735396.tif 000006
【図６】
0006735396.tif 000007
【図７】
0006735396.tif 000008
【図８】
0006735396.tif 000009
【図９】
0006735396.tif 000010
【図１０】
0006735396.tif 000011
【図１１】
0006735396.tif 000012
【図１２】
0006735396.tif 000013